(57)【要約】【課題】本発明は、快適に操作できるノート型パソコンを提供する。【解決手段】本発明に係るノート型パソコンは、本体と、回動軸によって前記本体の後部に回動可能に枢着される蓋体と、前記本体の後部の両側に回動可能に設置される２つの支持架と、を備え、前記支持架の回転経路は、前記支持架が前記蓋体の側壁に収容される第一位置、及び前記支持架の頂部が前記本体の底部から伸び出して前記本体の後端を持ち上げる第二位置を含む。【選択図】図１
2010267261.tif 000002
【特許請求の範囲】
【請求項１】
本体と、
回動軸によって前記本体の後部に回動可能に枢着される蓋体と、
前記本体の後部の両側に回動可能に設置される２つの支持架と、
を備えてなるノート型パソコンであって、
前記支持架の回転経路は、前記支持架が前記蓋体の側壁に収容される第一位置及び前記支持架の頂部が前記本体の底部から伸び出して前記本体の後端を上げる第二位置を含むことを特徴とするノート型パソコン。
【請求項２】
前記支持架は、カバーと、前記カバー内にスライド可能に収容される固定部材と、前記固定部材に枢着され且つ第一端が前記カバーから伸び出して前記本体に装着される定位部材と、前記固定部材と前記カバーとの間に設置される第一弾性素子と、を備え、
前記第一位置で、前記固定部材は前記蓋体の側壁に係合して固定され、
前記第二位置で、前記定位部材は前記本体に係合して前記本体の後端を上げ、
前記固定部材には操作部が設置され、前記操作部を操作して、前記第一弾性素子を弾性圧縮すると、前記固定部材は、前記カバー内の第一部位から第二部位にスライドして前記蓋体から退出し、
前記第一位置及び前記第二位置で、前記操作部の操作を停止して、前記第一弾性素子は弾性復帰するとともに、前記固定部材を前記カバー内の第二部位から第一部位にスライドさせることを特徴とする請求項１に記載のノート型パソコン。
【請求項３】
前記本体は、後壁及び前記後壁の両端から垂直となるように延在する２つの側壁を備え、前記後壁における前記２つの側壁に近い箇所から前記回動軸を枢着するための２つの凸部が突き出し、各々の凸部の外側面と前記後壁との間には収容開口部が形成され、前記回動軸の端部は、前記収容開口部内に伸び込んで、前記支持架を前記収容開口部内に回動可能に装着することを特徴とする請求項２に記載のノート型パソコン。
【請求項４】
前記蓋体は、その底部に位置する底壁及び前記底壁の両端から垂直となるように延在する２つの側壁を備え、前記２つの側壁と前記底壁との接続箇所には２つの切欠部が設置され、各々の切欠部と対応する収容開口部とは共同で対応する前記支持架を収容し、前記２つの切欠部との間には取付部が形成され、前記取付部の２つの側面には、それぞれ２つの係合スロットが開設され、前記支持架の固定部材は前記係合スロットに係合することを特徴とする請求項３に記載のノート型パソコン。
【請求項５】
前記凸部の外側面には、前記定位部材の第一端を活動可能に収容でき且つ前記回動軸を中心とする円弧状のスライディングスロットが設置され、前記支持架が前記第一位置から前記第二位置に回動している際に、前記定位部材の第一端は前記スライディングスロットでスライドすることを特徴とする請求項４に記載のノート型パソコン。
【請求項６】
前記カバーは、互いに係合する後カバー及び前カバーを備え、
前記後カバーは、底壁と、前記底壁の２つの側縁から延在する第一側壁及び第二側壁と、前記底壁の上端縁及び下端縁から延在する第一端壁及び第二端壁と、を備え、前記第一側壁の前記第二端壁に近い箇所から前記第二側壁に向かって第一枢着部が延在して形成され、前記第一枢着部の軸方向に沿って前記第一側壁を貫く第一枢着スロットが開設され、前記底壁の前記第二側壁に近い箇所には、前記第一弾性素子を固定するための当止部が設置され、
前記前カバーは、前壁と、前記前壁の２つの側縁から延在する第一側壁及び第二側壁と、前記前壁の頂端から延在する頂壁と、を備え、前記前カバーの第一側壁におけるその底部に近い箇所から前記第二側壁に向かって第二枢着部が延在して形成され、前記第二枢着部の軸方向に沿って前記前カバーの第一側壁を貫く第二枢着スロットが開設され、前記第二枢着スロット及び前記第一枢着スロットが共同で対応する回動軸の端部を収容する枢着スロットを形成することを特徴とする請求項５に記載のノート型パソコン。
【請求項７】
前記固定部材は、第一固定部と、前記第一固定部の底部から延在して形成される第二固定部と、第二弾性素子と、を備え、
前記後カバーの底壁には、１つの開口部が開設され、且つ前記開口部の上下両側には、２つの突柱が設置され、前記後カバーの第一側壁には、２つの第一収容孔及び１つの第二収容孔が離間して開設され、
前記第一固定部の上下両端には、前記後カバーの２つの突柱に対応する２つのスライディングスロットが開設され、前記第一固定部の第一側壁から前記後カバーの２つの第一収容孔及び前記蓋体の側壁の２つの係合スロットに対応する２つの係合部が突出され、
前記固定部材の操作部は、前記第一固定部の前記後カバーに対面する後壁における前記後カバーの開口部に対応する位置に設置され、前記操作部を操作することにより、前記固定部材を水平方向に沿ってスライドさせて、前記第一固定部の２つの係合部は前記後カバーの２つの第一収容孔から伸びだすか又は前記後カバー内に収容され、前記定位部材の第一端は前記後カバーの第二収容孔から伸びだすか又は前記後カバー内に収容され、前記支持架は前記蓋体の側壁の係合スロットに係合して固定されるか又は前記蓋体の側壁の係合スロットから退出し、
前記第二固定部は、前記第一固定部の底部の両端から前記前カバーに向かって斜めに延在する２つの端壁を備え、前記２つの端壁の底部には、それぞれ前記定位部材の第一端を貫かせる第一貫通孔及び前記定位部材の第二端を貫かせる第二貫通孔が開設され、前記第一貫通孔と前記第二貫通孔との間の距離は、前記第二弾性素子が自然状態を保持する時の長さより小さいか等しいことを特徴とする請求項６に記載のノート型パソコン。
【請求項８】
前記前カバーの前壁は前記後カバーに向かって凹んで発光ダイオードを収容するための収容部を形成し、前記前カバーの第二側壁には、前記発光ダイオードに電気接続するスイッチが設置されることを特徴とする請求項６に記載のノート型パソコン。
【請求項９】
前記凸部の外側面には、定位孔が設置され、前記支持架が前記第一位置から前記第二位置に回動した時、前記定位部材の第一端は前記定位孔に収容されて、前記支持架を定位することを特徴とする請求項４に記載のノート型パソコン。
【発明の詳細な説明】
【技術分野】
【０００１】
本発明は、ノート型パソコンに関するものである。
【背景技術】
【０００２】
ノート型パソコンの発展に伴い、ノート型パソコンの使用人数が増加している。ノート型パソコンを使う場合、ノート型パソコンを机に水平に設置するため、キーボードの角度を調節し難い。だから、デスクトップ型パソコンに比べて、ノート型パソコンを使う場合、人々に疲労感をもたらす。
【発明の概要】
【発明が解決しようとする課題】
【０００３】
本発明の目的は、前記課題を解決し、快適に操作できるノート型パソコンを提供することである。
【課題を解決するための手段】
【０００４】
前記目的を達成するため、本発明に係るノート型パソコンは、本体と、回動軸によって前記本体の後部に回動可能に枢着される蓋体と、前記本体の後部の両側に回動可能に設置される２つの支持架と、を備え、前記支持架の回転経路は、前記支持架が前記蓋体の側壁に収容される第一位置及び前記支持架の頂部が前記本体の底部から伸び出して前記本体の後端を上げる第二位置を含む。
【発明の効果】
【０００５】
本発明に係わるノート型パソコンにおいて、支持架が第一位置から第二位置に回動して、前記本体の後端を上げることにより、操作者は前記ノート型パソコンを快適に操作することができる。
【図面の簡単な説明】
【０００６】
【図１】本発明の実施形態に係るノート型パソコンの局部立体分解図である。
【図２】図１に示すノート型パソコンの本体の別の視角からの立体図である。
【図３】図１に示すノート型パソコンの前カバーの別の視角からの立体図である。
【図４】図１に示すノート型パソコンの支持架の部分組立図である。
【図５】図１に示すノート型パソコンの支持架の別の視角からの立体組立図である。
【図６】本発明の実施形態に係るノート型パソコンの立体組立図である。
【図７】本発明の実施形態に係るノート型パソコンの第一使用状態を示す図である。
【図８】本発明の実施形態に係るノート型パソコンの第二使用状態を示す側面図である。
【発明を実施するための形態】
【０００７】
図１〜図３を参照すると、本発明の実施形態に係るノート型パソコン１００は、操作部を備えた本体１０と、ディスプレイ部を備えた蓋体２０と、前記本体１０の両側に枢着される支持架３と、を備える。
【０００８】
前記本体１０は、後壁１２と、前記後壁１２の両端から垂直となるように延在する２つの側壁１４と、を備える。前記後壁１２における前記２つの側壁１４に近い箇所から２つの凸部１６が突き出し、各々の凸部１６の外側面１６２と前記後壁１２との間には収容開口部１４１が形成される。前記蓋体２０は、前記２つの凸部１６を貫く２つの回動軸２５によって、前記本体１０に開閉自在に装着される。各々の回動軸２５の端部は、対応する前記収容開口部１４１内に伸び込む。各々の回動軸２５の端部には、前記回動軸２５の軸方向に沿って前記支持架３を固定するために用いられる１つの固定孔２６が開設されている。各々の凸部１６の外側面１６２には、前記回動軸２５を隔てて互いに対面する１/４円弧状のスライディングスロット１６３及び定位孔１６４が設置されている。前記スライディングスロット１６３は、１/４円弧状に限定されるものではなく、需要に基づいてその長さを変えることができる。
【０００９】
前記蓋体２０は、その底部に位置する底壁２１と、前記底壁２１の両端から垂直となるように延在する２つの側壁２２と、を備える。前記２つの側壁２２と前記底壁２１との接続箇所には、２つのＬ字状の切欠部２２２が設置されるため、前記蓋体２０の底部に凸字状の取付部２３が形成される。前記取付部２３の２つの側面２３２には、それぞれ２つの係合スロット２２４が開設されている。
【００１０】
前記支持架３は、前記本体１０の後端を支持するか又は前記本体１０を照明することに用いられる。前記支持架３は、前カバー３０、後カバー４０、固定部材５０、定位部材５８、当止部材６０及び円形の透光部材７０を備える。
【００１１】
前記後カバー４０は、略Ｊ字状であって、底壁４１と、前記底壁４１の２つの側縁から前に向かって垂直的に延在する第一側壁４２０及び第二側壁４２１と、前記底壁４１の上端縁及び下端縁から前に向かって垂直的に延在する第一端壁４３及び第二端壁４４と、を備える。前記底壁４１には、方形の開口部４１１が開設されている。前記底壁４１における前記第一側壁４２０の近い前記開口部４１１の上下両側には、ねじ孔４１２を有する２つの突柱４１３が設置される。前記第一側壁４２０における前記開口部４１１の上下両側には、２つの長方形の第一収容孔４２２が離間して開設される。前記第一側壁４２０の前記第二端壁４４に近い箇所から前記第二側壁４２１に向かって、前記底壁４１の上方に位置し且つ前記底壁４１に平行する第一枢着部４２３が延在して形成され、前記第一枢着部４２３の軸方向に沿って前記第一側壁４２０を貫く半円形の断面を有する第一枢着スロット４２５が開設されている。前記第一枢着部４２３の前記第二側壁４２１に近い一端には第一端部４２７が形成され、前記第一端部４２７には、前記第一枢着スロット４２５に連通し且つ前記第一枢着スロット４２５と同軸である半円形の第一開口部４２６が開設されている。前記第一側壁４２０の前記第一枢着部４２３に隣接する箇所には、円形の第二収容孔４２４が開設されている。前記底壁４１の前記開口部４１１と前記第二側壁４２１との間には、前記当止部材６０を固定するために用いられる当止部４５が設置される。前記当止部４５の頂部４５２には、２つのピン４２８が突出される（図４を参照）。前記第一端壁４３の外側面が凹んで係合スロット４３２を形成する。
【００１２】
前記前カバー３０は、略Ｊ字状であって、前壁３１と、前記前壁３１の２つの側縁から後に向かって垂直的に延在する第一側壁３２０及び第二側壁３２１と、前記前壁３１の頂端から延在する頂壁３３と、を備える。前記前壁３１は前記後カバー４０に向かって凹んで円錐形の収容部３４を形成し、前記収容部３４の底部には、発光ダイオードを固定するために用いられる貫通孔３７が開設されている。前記頂壁３３には、前記後カバー４０の第一端壁４３の係合スロット４３２に係合する円弧形の係合部３３２が設置される。前記第一側壁３２０におけるその底部に近い箇所から前記第二側壁３２１に向かって、前記前壁３１の下方に位置し且つ前記前壁３１に平行する第二枢着部３２３が延在して形成され、前記第二枢着部３２３の軸方向に沿って前記第一側壁３２０を貫く半円形の断面を有する第二枢着スロット３５が開設されている。前記第二枢着スロット３５と前記後カバー４０の第一枢着スロット４２５が共同で円形断面を有する枢着スロットを形成して、対応する回動軸２５の端部を収容するために用いられる。前記第二枢着スロット３５の前記第二側壁３２１に近い一端には第二端部３２４が形成され、前記第二端部３２４には、第二枢着スロット３５に連通し且つ第二枢着スロット３５と同軸である半円形の第二開口部３２６が開設されている。前記第二枢着スロット３５の第二開口部３２６と前記後カバー４０の第一枢着スロット４２５の第一開口部４２６が共同で円形開口部を形成する。前記第二側壁３２１には、前記発光ダイオードに電気接続するスイッチ３６が設置される。
【００１３】
前記固定部材５０は、第一固定部５２と、前記第一固定部５２の底部から延在する第二固定部５４と、スプリング５６と、を備える。
【００１４】
前記第一固定部５２は、略長方形を呈し、その上下両端には、前記後カバー４０の２つの突柱４１３に対応する２つの楕円形のスライディングスロット５２２が開設されている。前記第一固定部５２の第一側壁から２つの係合部５２４が突出される。前記第一固定部５２の前記後カバー４０に対面する後壁５２７には、前記後カバー４０の開口部４１１に対応し且つプリズムアレイを有する操作部５２８が設置される（図５を参照）。
【００１５】
前記第二固定部５４は、前記第一固定部５２の底部の両端から前記前カバー３０に向かって斜めに延在する２つの端壁５４２と、前記２つの端壁５４２との間に垂直的に設置される２つの連接部５４６と、を備える。前記２つの端壁５４２の底部には、それぞれ第一貫通孔５４３及び第二貫通孔５４４が開設されている。前記第一貫通孔５４３と前記第二貫通孔５４４との間の距離は、前記スプリング５６が自然状態を保持する場合の長さより小さいか等しい。
【００１６】
前記定位部材５８は、円柱状であって、その第一端に近い外周面には当止シート５８２が形成される。前記当止シート５８２と前記定位部材５８の第二端との間の距離は、前記第二固定部５４の第一貫通孔５４３と第二貫通孔５４４との間の距離と略等しい。
【００１７】
前記当止部材６０は、弾性素子であって、本体部６１及び該本体部６１の両端から斜めに延在する２つの弾性アーム６３を備え、前記弾性アーム６３の端末は、略Ｕ字状である。前記本体部６１には、前記後カバー４０の当止部４５の２つのピン４２８に対応する係合孔６２が開設されている。
【００１８】
図４及び図５を参照すると、前記支持架３を組み立てる場合、先ず、前記スプリング５６を前記定位部材５８の第二端に被せてから、前記固定部材５０の第二固定部５４の２つの端壁５４２の底部の間で、前記定位部材５８の第一端は、前記第二固定部５４の第一貫通孔５４３を貫き、前記定位部材５８の第二端は前記第二固定部５４の第二貫通孔５４４を貫く。この時、前記スプリング５６は、前記定位部材５８の当止シート５８２と前記第二貫通孔５４４を有する端壁５４２との間に位置する。次に、前記第一固定部５２の２つの係合部５２４が別々に前記後カバー４０の第一側壁４２０の２つの第一収容孔４２２を貫き、前記定位部材５８の第一端が前記後カバー４０の第一側壁４２０の第二収容孔４２４を貫き、前記後カバー４０の底壁４１の２つの突柱４１３が別々に前記第一固定部５２の２つのスライディングスロット５２２を貫いてから、２つのねじ８０を前記２つの突柱４１３のねじ孔４１２に螺合して、前記固定部材５０を前記後カバー４０内に収容させる。前記固定部材５０の第一固定部５２は前記ねじ８０の頭部と前記後カバー４０底壁４１との間に位置する。次に、前記後カバー４０の当止部４５の２つのピン４２８を別々に前記当止部材６０の本体６１の２つの係合孔６２に係合して、前記当止部材６０を前記後カバー４０の当止部４５に固定する。この時、前記当止部材６０の２つの弾性アーム６３の端末は、前記固定部材５０の第一固定部５２の第二側壁に当接して、前記固定部材５０は第一位置に定位されており、即ち前記突柱４１３は、前記スライディングスロット５２２の前記係合部５２４から離れている第一端に位置する。
【００１９】
図６を参照すると、続いて前記２つの支持架３を前記ノート型パソコン１００の２つの凸部１６の外側の切欠部２２２に収容して、各々の支持架３の固定部材５０の２つの係合部５２４は対応する切欠部２２２の２つの係合スロット２２４に係合し、各々の支持架３の定位部材５８の第一端は、前記本体１０の対応する凸部１６のスライディングスロット１６３の底端に収容される。各々の回動軸２５の端部は、対応する後カバー４０の第一枢着スロット４２５内に収容される。２つのねじを前記２つの後カバー４０の第一枢着スロット４２５の第一開口部４２６から前記２つの回動軸２５の端部の固定孔２６に螺合して、前記２つの後カバー４０を前記２つの回動軸２５に回動可能に装着する。発光ダイオードを前記収容部３４の底部の貫通孔３７に固定し、前記透光部材７０で前記前カバー３０の収容部３４に覆い、且つ前記発光ダイオードの電源線を前記スイッチ３６に接続させてから、前記前カバー３０の頂壁３３の係合部３３２を対応する前記後カバー４０の第一端壁４３の係合スロット４３２に係合して、前記前カバー３０の第二枢着部３２２を前記後カバー４０の第一枢着部４２３に係合し、前記前カバー３０の第二枢着スロット３５と前記後カバー４０の第一枢着スロット４２５が共同で円形断面を有する枢着スロットを形成して前記回動軸２５の端部を収容する。前記発光ダイオードの電源線は、前記本体１０のスライディングスロット１６３を貫いて、前記本体１０内の電源線に接続されて、前記発光ダイオードに作動電圧を提供する。
【００２０】
図６及び図７を参照すると、前記ノート型パソコン１００を使う場合、前記蓋体２０を所定の角度に開けて、前記支持架３は前記蓋体２０の切欠部２２２内に収容され、且つ前記蓋体２０とともに同じ平面に位置する。前記ノート型パソコン１００を照明する場合、前記第一固定部５２の操作部５２８を前記後カバー４０の第二側壁４２１に向かって動かすと、前記第一固定部５２は前記後カバー４０の突柱４１３に相対して移動して、前記後カバー４０突柱４１３は前記スライディングスロット５２２の前記係合部５２４に近い第二端に位置される。この時、前記固定部材５０は第二位置に位置し、前記第一固定部５２の第二側壁は前記当止部材６０の２つの弾性アーム６３を押圧して、前記弾性アーム６３を弾性変形させ、前記第一固定部５２の２つの係合部５２４は、前記蓋体２０の２つの係合スロット２２４及び前記後カバー４０の２つの第一収容孔４２２から退出して、前記後カバー４０内に収容され、前記第二固定部５４も移動して、前記第一貫通孔５４３を有する端壁５４２は前記定位部材５８の当止シート５８２を押圧して、前記定位部材５８を前記後カバー４０内に引っ込める。前記支持架３を前記本体１０の方向へ推進し、且つ前記操作部５２８の操作を停止すると、前記当止部材６０の２つの弾性アーム６３は弾性復帰するとともに、前記固定部材５０の第一固定部５２の第二側壁を推進して、前記第一固定部５２は前記当止部材６０から離れる方向へ移動し、前記後カバー４０の突柱４１３は再び前記スライディングスロット５２２の第一端に位置する。前記第一固定部５２の２つの係合部５２４は、前記後カバー４０の２つの第一収容孔４２２から伸び出す。前記固定部５０に連動して、前記定位部材５８の第一端は前記後カバー４０の第二収容孔４２４から再び前記本体１０のスライディングスロット１６３内に収容され、且つ前記スライディングスロット１６３に沿ってその底端から頂端にスライドする。前記定位部材５８の第一端が前記スライディングスロット１６３の頂端に位置する場合、前記支持架３は重力作用によって定位され、前記前カバー３０のスイッチ３６をオンすると、前記ノート型パソコン１００の本体１０を照明することができる。
【００２１】
前記ノート型パソコン１００を照明する必要がない場合、前記前カバー３０のスイッチ３６をオフして、前記第一固定部５２の操作部５２８を前記後カバー４０の第二側壁４２１に向かって動かし、且つ前記本体１０から背離する方向へ前記支持架３を推進すると、前記第一固定部５２の係合部５２４は前記蓋体２０の側面２３２に当接する。前記操作部５２８の操作を停止して、前記第一固定部５２の係合部５２４が前記蓋体２０の係合スロット２２４に係合するまで、続いて前記本体１０から背離する方向へ前記支持架３を推進すると、前記定位部材５８の第一端は再び前記本体１０のスライディングスロット１６３の底端に位置し、即ち前記支持架３は初期位置に戻る。
【００２２】
他の実施形態において、前記ノート型パソコン１００に対して照明することを必要としない場合、前記本体１０のスライディングスロット１６３を省略することができ、前記スライディングスロット１６３の所在位置に定位孔を設置して、前記支持架３を定位する。
【００２３】
図８を参照すると、前記ノート型パソコン１００の本体１０を支持することを必要とする場合、前記第一固定部５２の操作部５２８を前記後カバー４０の第二側壁４２１に向かって動かすと、前記第一固定部５２は前記後カバー４０の突柱４１３に相対して移動し、前記後カバー４０の突柱４１３は前記スライディングスロット５２２の第一端から第二端に移動する。この時、前記固定部材５０は第二位置に位置し、前記第一固定部５２の第二側壁は前記当止部材６０の２つの弾性アーム６３を押圧して、前記弾性アーム６３を弾性変形させ、前記第一固定部５２の２つの係合部５２４は、前記蓋体２０の２つの係合スロット２２４及び前記後カバー４０の２つの第一収容孔４２２から退出して、前記後カバー４０内に収容され、前記第二固定部５４も移動して、前記第一貫通孔５４３を有する端壁５４２は前記定位部材５８の当止シート５８２を押圧して、前記定位部材５８を前記後カバー４０内に引っ込める。前記本体１０から背離する方向へ前記支持架３を推進し、且つ前記操作部５２８の操作を停止すると、前記当止部材６０の２つの弾性アーム６３は弾性復帰するとともに、前記固定部材５０の第一固定部５２の第二側壁を推進して、前記第一固定部５２は前記当止部材６０から離れる方向へ移動し、前記後カバー４０の突柱４１３は前記スライディングスロット５２２の第二端から第一端に移動する。前記第一固定部５２の２つの係合部５２４は、前記後カバー４０の２つの第一収容孔４２２から伸び出す。前記固定部５０に連動されて、前記定位部材５８の第一端は前記後カバー４０の第二収容孔４２４から伸び出して前記本体１０の外側面１６２に当接する。前記定位部材５８の第一端が前記本体１０の定位孔１６４に係合するまで、前記支持架３を続いて回動する。前記支持架３の頂部は前記本体１０の底部から斜めに伸び出して、前記支持架３は、前記ノート型パソコン１００の本体１０の後端を上げる。
【００２４】
前記ノート型パソコン１００の本体１０を支持することを必要としない場合、前記第一固定部５２の操作部５２８を前記後カバー４０の第二側壁４２１に向かって動かして、前記定位部材５８の第一端を前記本体１０の定位孔１６４から退出させ、且つ前記本体１０の方向へ前記支持架３を推進すると、前記定位部材５８の第一端は前記本体１０の外側面１６２に当接し、前記第一固定部５２の２つの係合部５２４は前記蓋体２０の側面２３２に当接し、前記操作部５２８の操作を停止し、前記第一固定部５２の係合部５２４が前記蓋体２０の係合スロット２２４に係合するまで、続いて前記本体１０の方向へ前記支持架３を推進すると、前記定位部材５８の第一端は再び前記本体１０のスライディングスロット１６３の底端に係合し、即ち前記支持架３は初期位置に戻る。
【００２５】
他の実施形態において、前記本体１０のスライディングスロット１６３の長さは需要に基づいて変えることができる。枢着スロットも前記前カバー３０又は前記後カバー４０に単独に設置することができる。
【００２６】
本発明のノート型パソコン１００において、前記本体１０から背離する方向へ前記支持架３を回動して前記本体１０の後端を上げることにより、操作者は前記ノート型パソコン１００を快適に操作することができる。前記ノート型パソコン１００の本体１０を照明することを必要とする場合、前記本体１０の方向へ前記支持架３を回動して、且つ前記支持架３のスイッチ３６をオンして、前記発光ダイオードにより前記本体１０を照明することができる。
【００２７】
以上本発明を実施例に基づいて具体的に説明したが、本発明は、上述の実施例に限定されるものではなく、その要旨を逸脱しない範囲において、種々変更可能であることは勿論であって、本発明の保護範囲は、以下の特許請求の範囲から決まる。
【符号の説明】
【００２８】
３  支持架
１０  本体
１２  後壁
１４  側壁
１６  凸部
２０  蓋体
２１  底壁
２２  側壁
２３  取付部
２５  回動軸
２６  固定孔
３０  前カバー
３３  頂壁
３４  収容部
３５  第二枢着スロット
３６  スイッチ
３７  貫通孔
４０  後カバー
４１  底壁
４３  第一端壁
４４  第二端壁
４５  当止部
５０  固定部材
５２  第一固定部
５４  第二固定部
５６  スプリング
５８  定位部材
６０  当止部材
６１  本体部
６２  係合孔
６３  弾性アーム
７０  透光部材
８０  ねじ
１００  ノート型パソコン
１４１  収容開口部
１６２  外側面
１６３  スライディングスロット
２２２  切欠部
２２４  係合スロット
２３２  側壁
３２０  第一側壁
３２１  第二側壁
３２３  第二枢着部
３２４  第二端部
３２６  第二開口部
３３２  係合部
４１１  開口部
４１２  ねじ孔
４１３  突柱
４２０  第一側壁
４２１  第二側壁
４２２  第一収容孔
４２３  第一枢着部
４２４  第二収容孔
４２５  第一枢着スロット
４２６  第一開口部
４２７  第一端部
４２８  ピン
４３２  係合スロット
４５２  頂部
５２２  スライディングスロット
５２４  係合部
５２７  後壁
５２８  操作部
５４２  端壁
５４３  第一貫通孔
５４４  第二貫通孔
５４６  連接部
５８２  当止シート
【図１】
2010267261.tif 000003
【図２】
2010267261.tif 000004
【図３】
2010267261.tif 000005
【図４】
2010267261.tif 000006
【図５】
2010267261.tif 000007
【図６】
2010267261.tif 000008
【図７】
2010267261.tif 000009
【図８】
2010267261.tif 000010